(57)【要約】【課題】少ない数の永久磁石をもってサイズの連続調整が可能な留め具を構成する。【解決手段】可撓性を有する線状または帯状の装身具本体２と、装身具本体２を螺旋または渦巻の形態に変形させた状態に保持するための留め具３とから成る。留め具３は、装身具本体２の両端部の位置にそれぞれ定位させた永久磁石より成る固定片４Ａ，４Ｂと、装身具本体２の中間位置に長さ方向へ移動可能に配備された少なくとも２個の永久磁石より成る移動片５Ａ，５Ｂとで構成されている。各固定片４Ａ，４Ｂは、磁極の向きが装身具本体２の長さ方向に対して直交する同方向に揃えられる。各移動片５Ａ，５Ｂは、磁極の向きが装身具本体２の長さ方向に対して直交しかつ固定片４Ａ，４Ｂの磁極の向きに揃えることが可能なように回動可能に配備される。【選択図】図１
2010207411.tif 000002
【特許請求の範囲】
【請求項１】
可撓性を有する線状または帯状の装身具本体と、装身具本体を螺旋または渦巻の形態に変形させた状態に保持するための留め具とから成り、前記留め具は、装身具本体の両端部の位置にそれぞれ定位させた永久磁石より成る固定片と、装身具本体の中間位置に長さ方向へ移動可能に配備された少なくとも２個の永久磁石より成る移動片とで構成されており、各固定片は、磁極の向きが装身具本体の長さ方向に対して直交する同方向に揃えられ、各移動片は、磁極の向きが装身具本体の長さ方向に対して直交しかつ固定片の磁極の向きに揃えることが可能なように配備されるか、磁極の向きが装身具本体の長さ方向に対して直交しかつ固定片の磁極の向きに揃えられた状態に配備されて成る装身具。
【請求項２】
前記装身具本体は、永久磁石、ゲルマニウム、マイナスイオン発生物質のうちから選ばれた材料の粉末の少なくとも１種以上が付着した繊維により形成されている請求項１に記載された装身具。
【請求項３】
前記装身具本体の中間位置には、永久磁石、ゲルマニウム、マイナスイオン発生物質のうちから選ばれた材料のチップの少なくも１種以上が固定的または移動可能に配備されている請求項１に記載された装身具。
【発明の詳細な説明】
【技術分野】
【０００１】
この発明は、ブレスレット、ネックレス、鉢巻き、ベルト、腹巻などに適用される環状の装身具に関し、特にこの発明は、手首、腕、首、足首、頭、胴などの身体の適所に螺旋状または渦巻状に巻かれた形態で装着される装身具に関する。
【背景技術】
【０００２】
ブレスレットやネックレスのような装身具は、線状または帯状の装身具本体の両端部が互いに連結されて成るもので、連結のために装身具本体の両端部に留め具が設けられている。従来の留め具による連結構造は、サイズ（直径）が固定されて自由度を欠くという技術課題があり、この課題を解消するために、先般、所謂フリーサイズの環状の装身具が提案された（例えば、特許文献１参照）。
【先行技術文献】
【特許文献】
【０００３】
【特許文献１】実用新案登録第３０４２１７３号公報
【０００４】
特許文献１に記載された装身具は、コイル状に保形された弾性を有する線材の全長にわたり永久磁石より成る複数個の吸着体と非磁性体よる成る複数個のスペーサとを交互に挿通して成るもので、各吸着体を留め具として機能させるものである。この装身具を身体の所定部位（例えば手首）に巻き付けるように装着したとき、線材の軸方向に沿って並ぶ吸着体同士が磁力により吸着し合って所望の直径に定まった螺旋状の輪を形作る。
【発明の概要】
【発明が解決しようとする課題】
【０００５】
しかしながら、上記した構成の装身具では、多数個の永久磁石（吸着体）を等間隔かつ全長にわたって配置するため、部品点数が増してコスト高となり、全体の重量が嵩むという問題がある。また、サイズ（直径）の調整は、吸着体の配列間隔に相当する長さ単位でしか行えず、微調整が困難であるため、弛ませた状態で身体適所に装着する使用態様のものには適用し得るが、身体の装着部位の径にぴったり合わせて装着する使用態様のものには適用が困難である。
【０００６】
この発明は、上記した問題に着目してなされたもので、少ない数の永久磁石をもってサイズ（直径）を連続的に調整することが可能な留め具を構成することにより、いかなる使用態様のものにも適用し得る軽量かつ安価な装身具を提供することを目的とする。
【課題を解決するための手段】
【０００７】
この発明による装身具は、可撓性を有する線状または帯状の装身具本体と、装身具本体を螺旋または渦巻の形態に変形させた状態に保持するための留め具とから成るものであり、前記留め具は、装身具本体の両端部の位置にそれぞれ定位させた永久磁石より成る固定片と、装身具本体の中間位置に長さ方向へ移動可能に配備された少なくとも２個の永久磁石より成る移動片とで構成されている。各固定片は、磁極の向きが装身具本体の長さ方向に対して直交する同方向に揃えられている。各移動片は、磁極の向きが装身具本体の長さ方向に対して直交しかつ固定片の磁極の向きに揃えることが可能なように配備されるか、磁極の向きが装身具本体の長さ方向に対して直交しかつ固定片の磁極の向きに揃えられた状態に配備されている。
【０００８】
上記した装身具を身体の適所に装着する場合、一端部の固定片にいずれかの移動片を、相対する側面の異なる磁極同士を磁気吸着させることで輪を形作り、さらに、他端部の固定片を他の移動片に、相対する側面の異なる磁極同士を磁気吸着させることで前記の輪と連続する螺旋または渦巻の輪を形成する。この場合に、一端部の固定片に磁気吸着させる移動片を装身具本体に沿って移動させることで所望のサイズ（直径）の輪に調整した後、他端部の固定片を磁気吸着させる移動片を装身具本体に沿って移動させることで前記のサイズ（直径）に合わせた螺旋または渦巻の輪を生成する。
【０００９】
この発明の上記した構成において、「可撓性を有する」とは、一定方向もしくは任意の方向へ撓むなどの変形が可能であることをいい、一定方向へ撓むことが可能である場合は螺旋または渦巻のいずれかの形態に変形することが可能であり、任意の方向へ撓むことが可能である場合は螺旋および渦巻のいずれの形態にも変形することが可能である。ここで、「螺旋」とは円柱面上を回りながら軸方向へ進んでいく曲線をいい、「渦巻」とは平面状を回りながら径方向へ進んでいく曲線をいう。「線状の装身具本体」には、金属線材、合成樹脂線材、繊維より成る紐などが含まれ、構造は単線であっても撚線であってもよい。また、「帯状の装身具本体」には、金属板、合成樹脂板、布地などが含まれる。
【００１０】
留め具を構成する「固定片」と「移動片」は同一の形態のものであってもよく、異なる形態のものであってもよい。例えば、固定片と移動片とを筒形状の永久磁石により形成した場合、固定片はその筒内孔へ通した線状または帯状の装身具本体の両端部の位置に固定するなどして定位させ、移動片はその筒内孔へ通した線状または帯状の装身具本体に沿って移動可能とする。固定片および移動片を円筒、角筒などの筒形状の永久磁石により形成した場合、一側面の側がＮ磁極、他側面の側がＳ磁極となる。なお、移動片は２個があれば足るが、３個以上設けてそのうちの２個を選択して固定片に磁気吸着させてもよい。  
【００１１】
例えば、装身具本体が線状である場合、各移動片を装身具本体に対して回動可能に配備することで、磁極の向きを装身具の長さ方向に対して直交しかつ固定片の磁極の向きに揃えることが可能となる。なお、移動片のみならず各固定片も装身具本体に対して回動可能に配備することが可能であるが、この場合は固定片が装身具本体より抜け出ないように装身具本体の両端に抜止めを設けることが必要である。
装身具本体が帯状であって各移動片が装身具本体に対して回動不能である場合、磁極の向きが装身具の長さ方向に対して直交しかつ固定片の磁極の向きに揃えられた状態に配備する。
【００１２】
この発明の好ましい一実施態様においては、前記装身具本体は、永久磁石、ゲルマニウム、マイナスイオン発生物質のうちから選ばれた材料の粉末の少なくとも１種以上が付着した繊維により形成されている。
永久磁石、ゲルマニウム、マイナスイオン発生物質はいずれも人体に所定の物理的作用を及ぼして健康の増進に有効に機能するものであり、永久磁石の粉末としてネオジムやフェライトが用いられ、マイナスイオン発生物質の粉末としては電気石と呼ばれるトルマリンが一般的である。
これらの材料粉末を繊維に付着させるには、例えば合成繊維などの繊維原料に材料粉末を練り込んで紡糸するなど、種々の方法を採用できる。合成繊維としてポリエステル、ナイロン、アクリル、ビニロンなどを用いることができるが、合成繊維以外にレーヨンなどの再生繊維、アセテートなどの半合成繊維を用いることもできる。
【００１３】
また、この発明の他の好ましい実施態様においては、前記装身具本体の中間位置には、永久磁石、ゲルマニウム、マイナスイオン発生物質のうちから選ばれた材料のチップの少なくも１種以上が固定的または移動可能に配備されている。
ゲルマニウムのチップとして、例えばゲルマニウム粉末を焼き固めたものなどを用いる。また、マイナスイオン発生物質のチップとして、例えばトルマリン鉱石の粉末を含むセラミック成形部品や合成樹脂成形部品などを用いる。
【発明の効果】
【００１４】
この発明によると、サイズ（直径）が固定されて自由度を欠くという技術課題が解消された所謂フリーサイズの環状の装身具を提供できるだけでなく、少ない数の永久磁石をもってサイズ（直径）の調整が可能な留め具を構成したから、部品点数が少なくて済み、コストが低減され、全体の重量が嵩むこともない。また、この発明の留め具によりサイズ（直径）を連続的に調整可能であるから、身体適所にぴったり合わせて装着する使用態様のものにも適用できる。
【図面の簡単な説明】
【００１５】
【図１】この発明の実施例であるブレスレットの外観を示す斜視図である。
【図２】固定片および移動片の構成を示す斜視図である。
【図３】図１のＡ−Ａ線に沿う断面図である。
【図４】他の実施例のブレスレットの外観を示す斜視図である。
【図５】他の実施例のブレスレットの外観を示す正面図である。
【図６】図５のＢ−Ｂ線に沿う断面図である。
【図７】他の実施例のブレスレットの外観を示す正面図である。
【図８】ゲルマニウムの取付状態を示す斜視図である。
【図９】この発明の実施例である鉢巻きの外観を示す斜視図である。
【図１０】この発明の実施例であるネックレスの外観を示す斜視図である。
【発明を実施するための形態】
【００１６】
図１は、この発明の一実施例であるブレスレット１の外観を示している。
図示例のブレスレット１は、柔軟で任意の方向へ自在に変形する線状の装身具本体２と、螺旋の形態に変形させた装身具本体２を手首の径に応じた径の螺旋の形態に保持するための留め具３とから成る。この実施例の装身具本体２は、ゲルマニウム粉末を付着させた合成繊維より成る紐であり、断面形状が円形であり、全長にわたって一定の線径を有している。この合成繊維の紐はポリエステルなどの合成繊維材料にゲルマニウム粉末を練り込んで紡糸することにより得られる。なお、繊維に付着させる健康増進のための材料として、ゲルマニウム粉末に代えて、永久磁石やマイナスイオン発生物質の粉末を用いることができ、さらに、そのいくつかを組み合わせて用いてもよい。また、線状の装身具本体２として、繊維製の紐に限らず、金属線材やプラスチックのような合成樹脂線材を使用することもできる。
【００１７】
前記留め具３は、装身具本体２の両端部の位置にそれぞれ定位させた永久磁石より成る固定片４Ａ，４Ｂと、装身具本体２の中間位置に長さ方向へ移動可能に配備された２個の永久磁石より成る移動片５Ａ，５Ｂとで構成されている。各固定片４Ａ，４Ｂおよび各移動片５Ａ，５Ｂに用いる永久磁石は、同じ形状、大きさの円筒体であり、一側面の側がＮ磁極となり、他側面の側がＳ磁極となるように、着磁されている。なお、各固定片４Ａ，４Ｂおよび各移動片５Ａ，５Ｂに用いる永久磁石は必ずしも同じ形状のものや同じ大きさのものである必要はない。
【００１８】
一端部の固定片４Ａには一方の移動片５Ｂが、他端部の固定片４Ｂには他方の移動片５Ａが、それぞれのＮ，Ｓの各磁極が同方向に揃った状態（図３参照）で相対する異なる磁極同士が磁気吸着することで、螺旋が形作られて形態が保持される。螺旋の径は装身具本体２上の移動片５Ａ，５Ｂの位置によって決まる。なお、移動片５Ａ，５Ｂの数は２個に限らず、図１に一点鎖線で示すように、３個であってもよく、さらには、それ以上であってもよい。３個以上のときは、３個のうちの２個を用いて螺旋を形作り、残りをフリーの状態にしておく。
【００１９】
各固定片４Ａ，４Ｂおよび各移動片５Ａ，５Ｂは、装身具本体２の線径よりやや大きめの内径の内孔３１を有し、この内孔３１に装身具本体２を通すことが可能となっている。固定片Ａ，４Ｂを構成する永久磁石は、図２に示すように、Ｎ，Ｓの各磁極の向きが装身具本体２の長さ方向に対して直交する方向であって装身具本体２の螺旋の進行方向（図１において矢印Ｐで示す）に揃えられた状態で装身具本体２の両端部に接着剤によって固定されている。
各移動片５Ａ，５Ｂは、Ｎ，Ｓの各磁極の向きが装身具本体２の長さ方向に対して直交しかつ固定片４Ａ，４ＢのＮ，Ｓの各磁極の向きに揃えることが可能なように装身具本体２に回動可能に配備されている。
【００２０】
ブレスレット１を螺旋形態とするには、一端部の固定片４Ａに他端部の固定片４Ｂに近い側の移動片５Ｂを、相対する側面の異なる磁極同士を磁気吸着させることで一つ目の輪を形作り、さらに、他端部の固定片４Ｂを一端部の固定片４Ａに近い側の移動片５Ａに、相対する側面の異なる磁極同士を磁気吸着させることで前記の一つ目の輪と螺旋状に連続する二つ目の輪を形成する。螺旋の径を設定もしくは調整するには、一端部の固定片４Ａに磁気吸着させた移動片５Ｂを装身具本体２に沿って移動させることで一つ目の輪を所望のサイズ（直径）とし、ついで、他端部の固定片４Ｂを磁気吸着させた移動片５Ａを装身具本体２に沿って移動させることで二つ目の輪の直径を一つ目の輪の直径に合わせる。
なお、この実施例のブレスレット１は、装身具本体２が任意の方向へ撓むことが可能であるので、装身具本体２を上記と９０度異なる方向へ撓ませて巻くようにすれば、渦巻形態を形作ることが可能である。また、装身具本体２が一定方向にしか撓むことができないものである場合は、各固定片４Ａ，４Ｂについても装身具本体２に対して回動可能な構成とし、固定片４Ａ，４Ｂと移動片５Ａ，５Ｂの両方を９０度正逆回動させることで、螺旋形態を形作ることも渦巻形態を形作ることも可能となる。
【００２１】
図４は、この発明の他の実施例のブレスレット１を示すもので、線状の装身具本体２の中間位置に移動片５Ａ，５Ｂとは別に２個のゲルマニウムのチップ６が移動自由に配備されている。この実施例では、ゲルマニウム粉末を焼き固めたものをチップ６として用いているが、これに代えて、永久磁石のチップやマイナスイオン発生物質のチップを用いてもよい。また、チップ数は１個でも３個以上でもよく、チップの種類も２種以上を組み合わせてもよい。マイナスイオン発生物質のチップとしては、例えばトルマリン鉱石の粉末を含むセラミック成形部品や合成樹脂成形部品などを用いるとよい。
【００２２】
上記の各実施例では、装身具本体２として断面形状が円形の紐を用いるとともに、固定片４Ａ，４Ｂおよび移動片５Ａ，５Ｂとして円筒形状の永久磁石を用いているが、図５および図６に示す実施例のように、装身具本体２として断面形状が扁平矩形状の帯を用い、固定片４Ａ，４Ｂおよび移動片５Ａ，５Ｂとして鞘状の永久磁石を用いてもよい。なお、装身具本体２は布、皮革などを用いて形成するが、これに代えて薄手の金属板を用いて形成してもよい。
この実施例では、帯状の装身具本体２は渦巻の形態に変形させるもので、留め具３は、装身具本体２を手首の径に応じた径の渦巻の形態に保持する。
【００２３】
各固定片Ａ，４Ｂは、Ｎ，Ｓの各磁極の向きが装身具本体２の長さ向に対して直交する方向であって装身具本体２の渦巻の進行方向（図５において矢印Ｑで示す）に揃えられた状態で装身具本体２の両端部に接着剤によって固定されている。
各移動片５Ａ，５Ｂは、Ｎ，Ｓの各磁極の向きが装身具本体２の長さ方向に対して直交しかつ固定片４Ａ，４ＢのＮ，Ｓの各磁極の向きに揃えられた状態で装身具本体２に配備されている。
なお、各固定片４Ａ，４Ｂおよび各移動片５Ａ，５Ｂを装身具本体２より取外し可能とし、磁極位置が９０度ずれた他の固定片および移動片と取り換えることを可能にすれば、渦巻形態のみならず螺旋形態を形作ることが可能となる。
【００２４】
図７および図８は、図５および図６の実施例の変形例であり、装身具本体２の渦巻の内面となる側に複数個の円盤状のチップ６を取り付けたものである。チップ６としてゲルマニウム粉末を焼き固めたものを用いているが、これに代えて永久磁石のチップやマイナスイオン発生物質のチップを用いてもよく、永久磁石、ゲルマニウム、マイナスイオン発生物質のうちの２種以上を組み合わせて用いてもよい。
【００２５】
図９は、この発明を鉢巻き７に実施した例を示している。図示例の鉢巻き７は、柔軟な帯状の装身具本体２と、装身具本体２を頭部の径に応じた径の渦巻の形態に保持するための固定片４Ａ，４Ｂおよび移動片５Ａ，５Ｂより成る留め具３と、装身具本体２の中間位置であって頭部に装着されたときに背骨の延長線上に位置するように取付け固定された永久磁石のチップ６とで構成されている。
なお、固定片４Ａ，４Ｂおよび移動片５Ａ，５Ｂの構成や磁極配置は図５，６に示したブレスレット１と同様であり、ここでは説明を省略する。
【００２６】
図１０は、この発明をネックレス８に実施した例を示している。図示例のネックレス８は、柔軟な紐状の装身具本体２と、装身具本体２を首部の径より十分に大きい径の螺旋または渦巻の形態に保持するための留め具３とで構成されている。
図示例の留め具３は、装身具本体２の両端部にそれぞれ固定された永久磁石より成る固定片４Ａ，４Ｂと、装身具本体２の中間位置に長さ方向へ移動自由に配備された４個の永久磁石より成る移動片５Ａ〜５Ｄとで構成されている。各固定片４Ａ，４Ｂおよび各移動片５Ａ〜５Ｄに用いる永久磁石は、同じ形状、大きさの円筒体であり、一側面の側がＮ磁極となり、他側面の側がＳ磁極となるように着磁されている。
【００２７】
一端部の固定片４Ａには移動片５Ｂが、他端部の固定片４Ｂには移動片５Ａが、それぞれのＮ，Ｓの各磁極が同方向に揃った状態で相対する異なる磁極同士が磁気吸着し、さらに、残り２個の移動片５Ｃ，５ＤがそれぞれのＮ，Ｓの各磁極が同方向に揃った状態で相対する異なる磁極同士が磁気吸着することで、螺旋が形作られて形態が保持される。螺旋の径は装身具本体２上の移動片５Ａ，５Ｂの位置によって決まる。なお、移動片５Ａ〜５Ｄの数は偶数個であれば、６個以上であってもよい。
【００２８】
上記したブレスレット１、鉢巻き７、およびネックレス８を身体適所に装着する場合、一端部の固定片４Ａにいずれかの移動片５Ｂを、相対する側面の異なる磁極同士を磁気吸着させることで一つ目の輪を形作り、さらに、他端部の固定片４Ｂを他の移動片５Ａに、相対する側面の異なる磁極同士を磁気吸着させることで前記の一つ目の輪と螺旋状または渦巻状に連続する二つ目の輪を形成する。この場合に、一端部の固定片４Ａに磁気吸着させた移動片５Ｂを装身具本体２に沿って移動させることで一つ目の輪を所望の直径とし、ついで、他端部の固定片４Ｂを磁気吸着させた移動片５Ａを装身具本体２に沿って移動させることで二つ目の輪の直径を一つ目の輪の直径に合わせる。
なお、上記した各実施例において、螺旋または渦巻を必要に応じて中間位置の移動片の数を増やすことにより二重以上に増すことが可能である。、
【符号の説明】
【００２９】
１    ブレスレット
２    装身具本体
３    留め具
４Ａ，４Ｂ  固定片
５Ａ，５Ｂ，５Ｃ，５Ｄ  移動片
７    鉢巻き
８    ネックレス
【図１】
2010207411.tif 000003
【図２】
2010207411.tif 000004
【図３】
2010207411.tif 000005
【図４】
2010207411.tif 000006
【図５】
2010207411.tif 000007
【図６】
2010207411.tif 000008
【図７】
2010207411.tif 000009
【図８】
2010207411.tif 000010
【図９】
2010207411.tif 000011
【図１０】
2010207411.tif 000012